(57)【要約】【課題】循環風の漏れを防止し、高いシール性を継続維持する衣類乾燥機を提供すること。【解決手段】衣類投入口２に設けられた回転支持部材１３の凹部１３ａに装着されたシール部材１５を、一層を成す潤滑部材１５ａと、中間層を成すウレタンフォーム等から成る弾性体１５ｂと、他層を成す底部潤滑部材１５ｃとの３層で構成し、潤滑部材１５ａをドラム嵌合部１４と摺動自在に、かつ、底部潤滑部材１５ｃを凹部１３ａの底面部１３ｂと摺動自在にした構成とすることにより、ドラム３の回転により、ドラム嵌合部１４から摩擦力を受ける潤滑部材１５ａと弾性体１５ｂとの間、および、弾性体１５ｂと底部潤滑部材１５ｃとの間に著しい剪断力を生じた場合、シール部材１５が回転支持部材１３内を摺動することができるので、シール部材１５の３層構成が剥離、脱落することなく、循環風の漏れを防止し、高いシール性を継続維持することができる。【選択図】図１
2017148091.tif 000002
【特許請求の範囲】
【請求項１】
外枠と、前記外枠内に回転自在に支持され衣類を収容するドラムと、前記ドラム内に循環風を送風する循環ファンと、循環風を加熱する加熱器と、前記外枠の前面に形成された衣類投入口と、前記衣類投入口に設けられ前記ドラムの回転を支持する回転支持部材と、前記回転支持部材に形成された凹部に装着されたシール部材と、前記ドラムの前端部に形成され前記シール部材に当接するドラム嵌合部とを備え、前記シール部材は、前記ドラム嵌合部と当接する位置に潤滑部材を設け、前記回転支持部材との当接する位置に潤滑部材を設けたことを特徴とする衣類乾燥機。
【請求項２】
回転支持部材の凹部底部と当接する位置に配置する潤滑部材にポリエステル系の樹脂を用いた請求項１に記載の衣類乾燥機。
【請求項３】
回転支持部材の凹部底部と当接する位置に配置する潤滑部材に潤滑剤含浸の樹脂を用いた請求項１に記載の衣類乾燥機。
【請求項４】
回転支持部材の凹部底部と当接する位置に配置する潤滑部材にフッ素系の樹脂を用いた請求項１に記載の衣類乾燥機。
【発明の詳細な説明】
【技術分野】
【０００１】
本発明は、ドラム内に収容した衣類の乾燥を行なう衣類乾燥機に関するものである。
【背景技術】
【０００２】
従来、この種の衣類乾燥機では、ドラム内の湿気を含んだ循環風がドラムから漏れるのを防止する構成が提案されている。また、下記に示す図の構成以外に、例えば、特許文献１や特許文献２および特許文献３のような構成も提案されている。
【０００３】
図３は、従来の衣類乾燥機の概略縦断面図、図４は、同衣類乾燥機の要部斜視図である。
【０００４】
図３、図４において、外枠１の前面に衣類投入口２があり、内部に衣類を収容するドラム３が回転自在に支持され、ドラム３は、モータ（図示せず）によって回転駆動される。なお、運転中は、前面ドア４によって衣類投入口２は閉止されている。
【０００５】
そして、循環ファン５の駆動により、循環風６がケーシング７、ケーシング７とドラム３を連接する内部仕切り板８を介してドラム３内に送りこまれて、衣類から水分を除去する。衣類からの水分を含んだ循環風６は、ドラム３からダクト９を通って冷却器１０に導かれて冷却され、含有する水分が凝縮除去される。除去された水は、排水溜り１１からポンプ（図示せず）により機外へと排出される。そして、水分が除去された循環風６は、加熱器１２により加熱され温風となって再び循環ファン５でドラム３内へ送られる。
【０００６】
衣類からの水分を含んだ循環風６がドラム３内から外枠１や機外に漏れると、結露を引き起こすため、漏れ防止として衣類投入口２に設けられた回転支持部材１１３と、回転するドラム３の前端部に形成されたドラム嵌合部１１４との間には、シール部材１１５が配されている。
【０００７】
シール部材１１５は、ポリエステル繊維からなるフェルト等の潤滑部材１１５ａとウレタンフォーム等の弾性体１１５ｂとを貼り合わせた２層で構成され、回転支持部材１１３の凹部１１６に収容保持されており、ドラム嵌合部１１４が潤滑部材１１５ａの表面側と当接し、ドラム３の回転により摺動するようになっている。
【先行技術文献】
【特許文献】
【０００８】
【特許文献１】独国特許出願公開第１０２０１２２０７９７７号明細書
【特許文献２】特開平６−２６９５９９号公報
【特許文献３】特開２００５−１４３７９５号公報
【発明の概要】
【発明が解決しようとする課題】
【０００９】
しかしながら、上記従来の構成では、２層に貼り合わせたシール部材を回転支持部材の凹部に収容保持するものであり、ドラムの回転によりドラム嵌合部から摩擦力を受ける潤滑部材が、剪断力により経年変化にて弾性体からずれて、最悪の場合は両者が剥離・脱落しシール性が損なわれ、循環風が漏れるという課題があった。
【００１０】
また、潤滑部材を直接回転支持部材に貼り付ける構成では潤滑部材の弾性、厚さ、耐熱性など材料・材質の選択に制限があるという課題があった。
【００１１】
さらに、複数に分割された回転支持部材でシール部材を挟みこんで固定する構成では、シール部材を回転支持部材と強固に結合する必要があり、シール部材は、ドラム嵌合部と当接する部分以上に大きく、さらにはシール部材を交換する場合は、同時に回転支持部材も交換する必要があるという課題があった。
【００１２】
本発明は、前記従来の課題を解決するもので、ドラムの嵌合部から乾燥循環風が漏れないシール性の高い衣類乾燥機を提供することを目的とする。
【課題を解決するための手段】
【００１３】
前記従来の課題を解決するために、本発明の衣類乾燥機は、外枠と、前記外枠内に回転自在に支持され衣類を収容するドラムと、前記ドラム内に循環風を送風する循環ファンと、循環風を加熱する加熱器と、前記外枠の前面に形成された衣類投入口と、前記衣類投入口に設けられ前記ドラムの回転を支持する回転支持部材と、前記回転支持部材に形成された凹部に装着されたシール部材と、前記ドラムの前端部に形成され前記シール部材に当接するドラム嵌合部とを備え、前記シール部材は、前記ドラム嵌合部と当接する位置に潤滑部材を設け、前記回転支持部材との当接する位置に潤滑部材を備えたものである。
【００１４】
これによって、ドラムの回転により、著しい剪断力を生じた場合、シール部材が回転支持部材内を摺動することができるので、循環風の漏れを防止し、高いシール性を継続維持することができる。
【発明の効果】
【００１５】
本発明の衣類乾燥機は、シール部材を構成する潤滑部材および底部潤滑部材と弾性体の剥離、脱落防止を図ることにより、循環風の漏れを防止し、シール性を継続維持することができる。
【図面の簡単な説明】
【００１６】
【図１】本発明の実施の形態における衣類乾燥機の概略縦断面図
【図２】同衣類乾燥機のシール部材と回転支持部材の構成を示す要部斜視図
【図３】従来の衣類乾燥機の概略縦断面図
【図４】同衣類乾燥機のシール部材と回転支持部材の構成を示す要部斜視図
【発明を実施するための形態】
【００１７】
第１の本発明は、外枠と、前記外枠内に回転自在に支持され衣類を収容するドラムと、前記ドラム内に循環風を送風する循環ファンと、循環風を加熱する加熱器と、前記外枠の前面に形成された衣類投入口と、前記衣類投入口に設けられ前記ドラムの回転を支持する回転支持部材と、前記回転支持部材に形成された凹部に装着されたシール部材と、前記ドラムの前端部に形成され前記シール部材に当接するドラム嵌合部とを備え、前記シール部材は、前記ドラム嵌合部と当接する位置に潤滑部材を設け、前記回転支持部材との当接する位置に潤滑部材を備えたものである。
【００１８】
これによって、ドラムの回転により、ドラム嵌合部から摩擦力を受ける潤滑部材と弾性体との間に著しい剪断力を生じた場合、シール部材が回転支持部材内を摺動することができ、シール部材が剥離・脱落することなく、循環風の漏れを防止し、高いシール性を継続維持することができる。
【００１９】
第２の本発明は、特に、第１の発明のシール部材は、前記回転支持部材の凹部底面と当接する位置に潤滑部材を備え、前記潤滑部材は、ポリエステル系の樹脂を用いたものである。
【００２０】
これによって、ドラムの回転により、ドラム嵌合部から摩擦力を受ける潤滑部材と弾性体との間に著しい剪断力を生じた場合、シール部材が回転支持部材内を摺動することができ、シール部材が剥離・脱落することなく、循環風の漏れを防止し、高いシール性を継続維持することができる。
【００２１】
第３の本発明は、特に、第１の発明のシール部材は、前記回転支持部材の凹部底面と当接する位置に潤滑部材を備え、前記潤滑部材は、潤滑剤含浸の樹脂を用いたものである。
【００２２】
これによって、ドラムの回転により、ドラム嵌合部から摩擦力を受ける潤滑部材と弾性体との間に著しい剪断力を生じた場合、シール部材が回転支持部材内を摺動することができ、シール部材が剥離・脱落することなく、循環風の漏れを防止し、高いシール性を継続維持することができる。
【００２３】
第４の本発明は、特に、第１の発明のシール部材は、前記回転支持部材の凹部底面と当接する位置に潤滑部材を備え、前記潤滑部材は、フッ素系の樹脂を用いたものである。
【００２４】
これによって、ドラムの回転により、ドラム嵌合部から摩擦力を受ける潤滑部材と弾性体との間に著しい剪断力を生じた場合、シール部材が回転支持部材内を摺動することができ、シール部材が剥離・脱落することなく、循環風の漏れを防止し、高いシール性を継続維持することができる。
【００２５】
以下、本発明の実施の形態について、図面を参照しながら説明する。なお、従来例と同じ構成のものは同一符号を付して説明を省略する。また、この実施の形態によって本発明が限定されるものではない。
【００２６】
（実施の形態１）
図１は、本発明の実施の形態における衣類乾燥機の概略縦断面図、図２は、同衣類乾燥機のシール部材と回転支持部材の構成を示す要部斜視図である。
【００２７】
図１、図２において、回転するドラム３の前端部にドラム嵌合部１４が形成され、加熱器１２により加熱され温風となって循環ファン５でドラム３内へ送られた循環風６がドラム３外へ漏れないように、衣類投入口２に設けられた回転支持部材１３とドラム嵌合部１４との間にシール部材１５が配されている。
【００２８】
シール部材１５は、回転支持部材１３の凹部１３ａに装着されており、ポリエステル繊維から成るフェルト材の潤滑部材１５ａとウレタンフォーム等から成る弾性体１５ｂとを貼り合わせるとともに、弾性体１５ｂには底部潤滑部材１５ｃが貼り付けることにより、３層構造に形成している。なお、底部潤滑部材１５ｃも潤滑部材１５ａと同様に、ポリエステル繊維からなるフェルト材で構成している。
【００２９】
そして、底部潤滑部材１５ｃ側が、回転支持部材１３の凹部１３ａの底面部１３ｂと当接する位置に配置してあり、底部潤滑部材１５ｃは、底面部１３ｂと摺動できるようになっている。
【００３０】
また、シール部材１５の潤滑部材１５ａには、ドラム嵌合部１４が当接して摺動するよう構成されている。
【００３１】
このように、回転支持部材１３の凹部１３ａの底面部１３ｂと当接する位置に、シール部材１５の底部潤滑部材１５ｃを配置することにより、ドラム３の回転によりドラム嵌合
部１４から摩擦力を受ける潤滑部材１５ａと弾性体１５ｂとの間に大きな剪断力を生じたとしても、シール部材１５全体が回転支持部材１３の凹部１３ａ内を摺動することができ、その摺動により剪断力が大きく低減されるので、シール部材１５が剥離、脱落することはない。そのことにより、循環風の漏れを防止し、高いシール性を継続維持することができる。
【００３２】
なお、本実施の形態では、底部潤滑部材１５ｃはポリエステル繊維からなるフェルト材としたが、潤滑材を含浸した樹脂材、ポリエステル系の樹脂、あるいは、フッ素系の樹脂材であってもよく、同様の効果を得ることができるものである。
【００３３】
以上のように、本実施の形態においては、衣類投入口に設けられた回転支持部材の凹部に装着されたシール部材を、一層を成す潤滑部材と、中間層を成すウレタンフォーム等からなる弾性体と、他層を成す底部潤滑部材との３層で構成し、潤滑部材をドラム嵌合部と摺動自在に、かつ、底部潤滑部材を凹部の底面部と摺動自在にした構成とすることにより、ドラムの回転により、ドラム嵌合部から摩擦力を受ける潤滑部材と弾性体との間、および、弾性体と底部潤滑部材との間に著しい剪断力を生じた場合、シール部材が回転支持部材内を摺動することができるので、シール部材の３層構成が剥離、脱落することなく、循環風の漏れを防止し、高いシール性を継続維持することができる。
【産業上の利用可能性】
【００３４】
以上のように、本発明に係る衣類乾燥機は、回転支持部材内に配置したシール部材が回転支持部材内を摺動することにより、３層構造のシール部材が剥離、脱落することはなく、循環風の漏れを防止し、高いシール性を継続維持することができるので、乾燥機能を有する洗濯乾燥機などの用途に適用できる。
【符号の説明】
【００３５】
１  外枠
２  衣類投入口
３  ドラム
５  循環ファン
６  循環風
１２  加熱器
１３  回転支持部材
１３ａ  凹部
１３ｂ  底面部
１４  ドラム嵌合部
１５  シール部材
１５ａ  潤滑部材
１５ｂ  弾性体
１５ｃ  底部潤滑部材
【図１】
2017148091.tif 000003
【図２】
2017148091.tif 000004
【図３】
2017148091.tif 000005
【図４】
2017148091.tif 000006